(57)【要約】【課題】製造コストが安価でかつ使用し易いパルス式酸素濃度センサを提供する。【解決手段】発光体及び受光体を備える検出体アセンブリ１と、粘着ストリップ材を用いた使い捨てタイプのバンドアセンブリ２とからなる。検出体アセンブリ１は、一対のハウジングとなるフード３、４、これらに個別に収納した発光ダイオード及び受光素子、フード３、４間及び外部機器への信号伝送用の可撓性のケーブル７及びケーブルアセンブリ８からなる。フード３、４は外部への開口部を有する。バンドアセンブリ２は、粘着部９、連結テープ部１０、２つのスタッド１１からなり、各スタッドが中空の胴部を備える。スタッド１１は、フード３、４をスナップ止めする突状環状部２９を有する。フード３、４の内部でスタッド１０の装着部分は回転可能とする。【選択図】        図１
2004329406.tif 000002
【特許請求の範囲】
【請求項１】
患者に接着して用いる電子？光学的医療用センサであって、モニタ機器への接続用の少なくとも一本のケーブルを有し、センサ本体が、該ケーブルを患者の身体へ少なくとも一つ以上の方向から取り付け可能としてなることを特徴とする医療用センサ。
【請求項２】
請求項１の医療用センサにおいて、上記ケーブルを、上記センサ本体に対する取り付け位置を中心に揺動可能に取り付けてなることを特徴とする医療用センサ。
【請求項３】
少なくとも１個のＬＥＤと、少なくとも１個の光検出体を有し、該光検出体を、モニタ機器への接続用の少なくとも一本のケーブルに接続し、該ケーブルを患者の身体へ少なくとも一つ以上の方向から取り付け可能としてなることを特徴とする医療用センサ。
【請求項４】
請求項３の医療用センサにおいて、上記ケーブルを、上記センサ本体に対する取り付け位置を中心に揺動可能に取り付けてなることを特徴とする医療用センサ。
【請求項５】
パルス式酸素濃度センサであって、１個の光検出体と、少なくとも２個のＬＥＤを有し、これら光検出体とＬＥＤをモニタ機器への接続用の少なくとも一本のケーブルに接続し、該ケーブルを患者の身体へ少なくとも一つ以上の方向から取り付け可能としてなることを特徴とするパルス式酸素濃度センサ。
【請求項６】
請求項５のパルス式酸素濃度センサにおいて、上記ケーブルを、上記センサ本体に対する取り付け位置を中心に揺動可能に取り付けてなることを特徴とするパルス式酸素濃度センサ。
【請求項７】
請求項５または６のパルス式酸素濃度センサにおいて、上記センサ本体を粘着剤により患者の身体へ取り付け可能としてなることを特徴とするパルス式酸素濃度センサ。
【請求項８】
請求項７のパルス式酸素濃度センサにおいて、上記センサ本体が二つの部分からなり、一の部分が１個の光検出体と少なくとも２個のＬＥＤを有し、他の部分が粘着性の部分を有するバンド状部材であることを特徴とするパルス式酸素濃度センサ。
【請求項９】
請求項１ないし４のいずれかの医療用センサまたは請求項５ないし８のいずれかのパルス式酸素濃度センサの上記ケーブルを、既存のパルス式酸素濃度センサに少なくとも二つ以上の方向から取り付け可能としてなることを特徴とするパルス式酸素濃度センサの取り付けキット。
【請求項１０】
請求項９のパルス式酸素濃度センサの取り付けキットにおいて、上記ケーブルを、上記センサ本体に対する取り付け位置を中心に揺動可能に取り付けてなることを特徴とするパルス式酸素濃度センサの取り付けキット。
【請求項１１】
請求項１ないし４のいずれかの医療用センサまたは請求項５ないし８のいずれかのパルス式酸素濃度センサを、既存のパルス式酸素濃度センサの検知部に取り付け可能としてなるパルス式酸素濃度センサの取り付けキットにおいて、センサ本体が、複数のＬＥＤ、光検出体及び粘着テープへの取り付け手段を含み、該粘着テープへの取り付け手段が、上記センサ本体を少なくとも一つ以上の方向から取り付け可能としてなることを特徴とするパルス式酸素濃度センサの取り付けキット。
【請求項１２】
請求項１１のパルス式酸素濃度センサの取り付けキットにおいて、上記粘着テープへの取り付け手段が、粘着テープをも含むことを特徴とするパルス式酸素濃度センサの取り付けキット。
【請求項１３】
請求項１１のパルス式酸素濃度センサの取り付けキットにおいて、上記取り付け手段がスナップ取り付け用のものであることを特徴とするパルス式酸素濃度センサの取り付けキット。
【請求項１４】
請求項１１のパルス式酸素濃度センサの取り付けキットにおいて、上記取り付け手段がスナップ取り付け用の円形のものであることを特徴とするパルス式酸素濃度センサの取り付けキット。
【請求項１５】
発光体及び受光体を備える検出体アセンブリと、粘着ストリップ材を用いた使い捨てタイプのバンドアセンブリとからなるパルス式酸素濃度センサであって、上記発光体から射出させた光を患者の身体を透過させ、上記受光体で受光するものにおいて、
上記検出体アセンブリは、少なくとも一対のハウジングと、該一対のハウジングにそれぞれ個別に収納した発光ダイオード及び受光素子と、上記一対のハウジング間を接続するとともに信号伝送用の配線を内包した可撓性のケーブルと、外部機器への信号伝送用の配線を内包し、上記一対のハウジングの一方に取り付けた可撓性のケーブルアセンブリとからなり、上記ハウジングがそれぞれ外部への開口部を有し、
上記バンドアセンブリは、一面側の少なくとも一部分に粘着面部を有し、他面側に少なくとも２つのスタッドを突設し、各スタッドが少なくとも一つの透過性開口を備え、
上記スタッドが、上記ハウジングの上記開口部をスナップ止めで装着、係合可能とする環状の突部を有してなることを特徴とするパルス式酸素濃度センサ。
【請求項１６】
請求項１５のパルス式酸素濃度センサの取り付けキットにおいて、上記ハウジングの内部で上記スタッドの装着部分が回転としてなることを特徴とするパルス式酸素濃度センサ。
【発明の詳細な説明】
【０００１】
【発明の属する技術分野】
本発明は、患者の手の指、足の指等に装着して血中の酸素の状態を測定するための医療用センサに関し、特にパルス式酸素濃度センサと称されるかつ再使用可能なもの、及びこれらセンサを患者の身体に取り付けるためのキットに関する。
【０００２】
【従来の技術】
病院であれ、病院外であれ、医療においては、患者の血中の酸素濃度をモニタすることが重要視されている。血中酸素濃度が低い場合、短時間で脳に損傷を与え、あるいは死に至ることもあるためである。酸素濃度測定方法としてはパルス酸素測定法が良く知られている。この方法は、酸素供給の指標である動脈血の酸素飽和度を測定する非侵襲性のものであり、使用する測定センサは、検出体アセンブリと、これを患者の指等に装着する粘着ストリップ材を用いた使い捨てタイプのバンドアセンブリとからなり、プローブは、監視用のモニタ等に接続するためのケーブルアセンブリを含んでいる。
【０００３】
検出体アセンブリ、プローブは、発光体及び受光体を備える。発光体は、例えば赤色光と赤外光の両方の発光ダイオード（ＬＥＤ）から構成し、受光体は、ＬＥＤ等の発光体が射出する光を受光するのに適する光ダイオード等の受光素子で構成する。このようなプローブを患者の手の指や足の指、または患者が年少者等の場合には足に取り付け、発光体から射出する光が、患者の指の爪、動脈、脈管、毛細血管、組織、骨等を照射するようにセットする。受光体は、発光体の射出光が体組織を透過してきた光を検出できるように発光体の反対側に配置する。
【０００４】
このようなパルス式酸素濃度センサによって得るデータは、プローブの発光体が射出した二つの波長の光の動脈血による示差吸収データであり、これを解析することによって酸素飽和度が決定できる。すなわち、プローブの二種類の発光体を交互にオン？オフさせて赤色光と赤外光を交互に患者の被測定部位に対して照射し、その透過光を受光体によって検出する。そして、受光体の出力電流が検出した透過光の強度に比例することを利用して赤色光及び赤光の強度比を算出し、この比に基づいて、例えば経験的にあらかじめ設定したテーブルデータによって患者の血液中の酸素飽和値を決定する。
【０００５】
【発明が解決しようとする課題】
このようなパルス式酸素濃度センサの使用は明確に利点があるが、患者の身体への固定が難しく、固定状態が安定しないと良い検出データを安定して取り難く、包帯等で患者に固定するとケーブルの位置がずれてしまった場合等に直すのが面倒である。また包帯等での固定では患者の動きを規制し、しかもＬＥＤ等が熱を発するので、包帯等であまりしっかりと装着してしまうと、ケーブルが動いてデータの質が劣化することは防ぎ得るものの、患者にとっては心地良いものではなくなる。したがって、特に新生児に用いるには危険と不都合が両方存在することになる。またクリップ状の治具を用いて固定する例もあるが、患者に苦痛を与えることになりかねない。コストも一般的なセンサより高価であり、現在かなりの数が使用されているため、他者への感染を防止するために全体を使い捨てにすると、非常に多量の環境廃棄物を生じさせてしまうことになり、コスト以上に問題となる。
【０００６】
本発明は、上記従来の問題点を解決し、製造コストが安価でかつ使用し易い医療用センサ、パルス式酸素濃度センサ、これらセンサを患者の身体に取り付けるためのキットを提供することを目的とする。
【０００７】
【課題を解決するための手段】
本発明の請求項１に係る医療用センサは、上記目的を達成するために、患者に接着して用いる電子？光学的医療用センサであって、モニタ機器への接続用の少なくとも一本のケーブルを有し、センサ本体が、該ケーブルを患者の身体へ少なくとも一つ以上の方向から取り付け可能としてなることを特徴とする。
【０００８】
同請求項２に係るものは、上記目的を達成するために、請求項１の医療用センサにおいて、上記ケーブルを、上記センサ本体に対する取り付け位置を中心に揺動可能に取り付けてなることを特徴とする。
【０００９】
同請求項３に係るものは、上記目的を達成するために、少なくとも１個のＬＥＤと、少なくとも１個の光検出体を有し、該光検出体を、モニタ機器への接続用の少なくとも一本のケーブルに接続し、該ケーブルを患者の身体へ少なくとも一つ以上の方向から取り付け可能としてなることを特徴とする。
【００１０】
同請求項４に係るものは、上記目的を達成するために、請求項３の医療用センサにおいて、上記ケーブルを、上記センサ本体に対する取り付け位置を中心に揺動可能に取り付けてなることを特徴とする。
【００１１】
同請求項５に係るパルス式酸素濃度センサは、上記目的を達成するために、１個の光検出体と、少なくとも２個のＬＥＤを有し、これら光検出体とＬＥＤをモニタ機器への接続用の少なくとも一本のケーブルに接続し、該ケーブルを患者の身体へ少なくとも一つ以上の方向から取り付け可能としてなることを特徴とする。
【００１２】
同請求項６に係るものは、上記目的を達成するために、請求項５のパルス式酸素濃度センサにおいて、上記ケーブルを、上記センサ本体に対する取り付け位置を中心に揺動可能に取り付けてなることを特徴とする。
【００１３】
同請求項７に係るものは、上記目的を達成するために、請求項５または６のパルス式酸素濃度センサにおいて、上記センサ本体を粘着剤により患者の身体へ取り付け可能としてなることを特徴とする。
【００１４】
同請求項８に係るものは、上記目的を達成するために、請求項７のパルス式酸素濃度センサにおいて、上記センサ本体が二つの部分からなり、一の部分が１個の光検出体と少なくとも２個のＬＥＤを有し、他の部分が粘着性の部分を有するバンド状部材であることを特徴とする。
【００１５】
同請求項９に係るものは、上記目的を達成するために、請求項１ないし４のいずれかの医療用センサまたは請求項５ないし８のいずれかのパルス式酸素濃度センサの上記ケーブルを、既存のパルス式酸素濃度センサに少なくとも二つ以上の方向から取り付け可能としてなることを特徴とする。
【００１６】
同請求項１０に係るものは、上記目的を達成するために、請求項９のパルス式酸素濃度センサの取り付けキットにおいて、上記ケーブルを、上記センサ本体に対する取り付け位置を中心に揺動可能に取り付けてなることを特徴とする。
【００１７】
同請求項１１に係るパルス式酸素濃度センサの取り付けキットは、上記目的を達成するために、請求項１ないし４のいずれかの医療用センサまたは請求項５ないし８のいずれかのパルス式酸素濃度センサを、既存のパルス式酸素濃度センサの検知部に取り付け可能としてなるパルス式酸素濃度センサの取り付けキットにおいて、センサ本体が、複数のＬＥＤ、光検出体及び粘着テープへの取り付け手段を含み、該粘着テープへの取り付け手段が、上記センサ本体を少なくとも一つ以上の方向から取り付け可能としてなることを特徴とする。
【００１８】
同請求項１２に係るものは、上記目的を達成するために、請求項１１のパルス式酸素濃度センサの取り付けキットにおいて、上記粘着テープへの取り付け手段が、粘着テープをも含むことを特徴とする。
【００１９】
同請求項１３に係るものは、上記目的を達成するために、請求項１１のパルス式酸素濃度センサの取り付けキットにおいて、上記取り付け手段がスナップ取り付け用のものであることを特徴とする。
【００２０】
同請求項１４に係るものは、上記目的を達成するために、請求項１１のパルス式酸素濃度センサの取り付けキットにおいて、上記取り付け手段がスナップ取り付け用の円形のものであることを特徴とする。
【００２１】
同請求項１５に係るパルス式酸素濃度センサは、上記目的を達成するために、発光体及び受光体を備える検出体アセンブリと、粘着ストリップ材を用いた使い捨てタイプのバンドアセンブリとからなるパルス式酸素濃度センサであって、上記発光体から射出させた光を患者の身体を透過させ、上記受光体で受光するものにおいて、上記検出体アセンブリは、少なくとも一対のハウジングと、該一対のハウジングにそれぞれ個別に収納した発光ダイオード及び受光素子と、上記一対のハウジング間を接続するとともに信号伝送用の配線を内包した可撓性のケーブルと、外部機器への信号伝送用の配線を内包し、上記一対のハウジングの一方に取り付けた可撓性のケーブルアセンブリとからなり、上記ハウジングがそれぞれ外部への開口部を有し、上記バンドアセンブリは、一面側の少なくとも一部分に粘着面部を有し、他面側に少なくとも２つのスタッドを突設し、各スタッドが少なくとも一つの透過性開口を備え、上記ハウジングの上記開口部を上記スタッドに着脱可能に係合可能としてなることを特徴とする。
【００２２】
請求項１６に係るパルス式酸素濃度センサは、上記目的を達成するために、請求項１５のパルス式酸素濃度センサの取り付けキットにおいて、上記ハウジングの内部で上記スタッドの装着部分が回転としてなることを特徴とする。
【００２３】
【発明の実施の形態】
以下本発明の実施の形態を図面を参照して説明する。なお以下では、本発明の一つの好ましい実施形態の説明をするが、本発明のその他の実施形態、用途等は当業者に明らかであるので説明を省略する。もちろん本発明が図示の例に限定されることはない。
【００２４】
図１は本発明に係るパルス式酸素濃度センサの一実施形態を示す分解斜視図である。本実施形態のパルス式酸素濃度センサは、発光体及び受光体を備える検出体アセンブリ１と、粘着ストリップ材を用いた使い捨てタイプのバンドアセンブリ２とから構成してあり、発光体から射出させた光を患者の身体を透過させ、それを受光体で受光するものである。また検出体アセンブリ１とバンドアセンブリ２を患者の身体への取り付け用にキット化したものとなっている。
【００２５】
検出体アセンブリ１は、各種構成要素を収納するハウジングとなる一対のフード３、４と、これらのフード３、４内に発光ダイオードや受光素子を収納するためのシャーシ５、５と、シャーシ５をフード３、４内にそれぞれ固定するためのスプリングクリップ６、６と、フード３、４間を接続するとともに信号伝送用の配線を内包した可撓性のケーブル７と、図示しない制御機器やモニタ等の外部機器への信号伝送用の配線を内包し、一方のフード３に取り付けた可撓性のケーブルアセンブリ８とから構成してある。なおフード３、４とシャーシ５は、医療用に適するグレードのＡＢＳ樹脂等を用いて形成する。
【００２６】
バンドアセンブリ２は、図中下面に粘着剤を有し、患者の身体に貼り付け可能な矩形で島状の粘着部９、９と、その間に張り渡した粘着部９より細幅の連結テープ部１０と、粘着部９上面と連結テープ部１０の下面との間に挟んで保持した一対のスタッド１１、１１と、粘着部９の下面を保護するための離型シート１２から構成してある。粘着部９は、例えば厚さが０．０１３ｍｍで感圧粘着タイプで透光性を有するポリエステル等を用いて構成し、その形状は図示のような矩形以外にも種々公知の形状を採用できる。または連結テープ部１０も同素材で形成して粘着部９の上面に貼り付けるが、粘着部９、９の間の部分の下面が粘着剤を有しないようにする必要がある。連結テープ部１０は、透光性を有しなくてもよい。スタッド１１については後述する。離型シート１１は公知のもの、例えばシリコンをコーティングしたクラフトテープ等を用いればよく、もちろん使用時には剥離させて粘着部９の粘着面を露出させる。
【００２７】
図２は検出体アセンブリ１の断面図、図３はフード３の平面図（Ａ）と底面図（Ｂ）、図４はフード４の平面図（Ａ）と底面図（Ｂ）、図５はシャーシ５の斜視図である。
【００２８】
検出体アセンブリ１を構成するフード３は、図３に示すように、略半球状で中空の受光体収納部１３と、中空円筒状でスプリングクリップ６の端部６ａを収納するクリップ端収納部１４と、クリップ端収納部１４と軸線が直交するように伸びるケーブル７への接続部１５とから構成してある。受光体収納部１３内には、図２に示すように、受光体であるフォトデテクタ１６を例えばモールド成形により備えたシャーシ５を収納してフォトデテクタ１６をケーブル７と接続させ、最下端にスプリングクリップ６を装着して落下止めとしてある。また図３（Ｂ）に示すように、受光体収納部１３の下面には、受光用の開口部１７が設けてある。なお図示のような形状、構造のフード３は、例えば上部と下部とを別体で形成して張り合わせる等して形成すると製造が容易である。また受光体には後述するフード４が備える発光体との組み合わせで適するものを用いることになるので、フォトデテクタには限定されない。
【００２９】
他のフード４は、図４に示すように、略半球状で中空の発光体収納部１８と、フード３と同様のクリップ端収納部１９と、クリップ端収納部１９と軸線が直交するように発光体収納部１８の一側へ伸びるケーブル７の挿通部２０と、その反対側へ伸びるケーブルアセンブリ８への接続部２１とから構成してある。発光体収納部１８内には、図２に示すように、発光体であるＬＥＤ２２を例えばモールド成形によりシャーシ５に収納してケーブルアセンブリ８と接続させ、最下端にスプリングクリップ６を装着して落下止めとしてある。また図４（Ｂ）に示すように、発光体収納部１８の下面には、光を射出させるための開口部２３が設けてある。なお、ケーブル７は挿通部２０を貫通して接続部２１内を通り、接続部２１の外側ではケーブルアセンブリ８の一部としてまとめてある。また発光体としてはパルス式酸素濃度センサの分野において周知のように、２種類のＬＥＤ２２を使用することになるが、発光体としてはＬＥＤに限定されず、種々のものを用い得る。さらに、フード４についても、例えば上部と下部とを別体で形成して張り合わせる等して形成すると製造が容易である。
【００３０】
シャーシ５は、フード３、４への装着用の頂部２４と、その下側に連なる半割れの胴部２５と、中央に開口２６を設けたフランジ部２７とから構成してある。頂部２４にはケーブル７あるいはケーブルアセンブリ８を装着するための断面が半円状の溝２８が形成してある。このシャーシ６をフード３、４へ取り付ける形態は、胴部２５がクリップ端収納部１４、１９の反対側に位置するように装着し、胴部２５内に装着したクリップ６の端部６ａをクリップ端収納部１４、１９内へ装着する際の邪魔にならないようにする。そしてフード３、４へ装着した状態では、フード３、４の開口部１６、２４と開口２６とを軸線が一致した状態、すなわちＬＥＤ２２が射出する光が開口部１６から開口２６を通って外部へ出る状態に、また開口部１６に入射する光が開口２６を通ってフォトデテクタ１６へ達し得る状態になる。なお、少なくともフード４とこれに装着するシャーシ５の光に対して露出する内壁面を光が乱反射しにくい面性状のものにしておくと、受光性が向上することはもちろんである。
【００３１】
図６は、バンドアセンブリ２に取り付けた状態のスタッド１１の拡大断面図である。スタッド１１は、頂部にシャーシ６をスナップ装着するための突状環状部２９を備えた中空円筒状の胴部３０と、粘着部９と連結テープ部１０との間に挟んで固定するためのフランジ部３１とから構成してある。突状環状部２９の外径はシャーシ５の開口２６の径よりは若干大きくしてある。
【００３２】
図７は、患者の指等にバンドアセンブリ２を貼り付けた状態でスタッド１１にシャーシ５を嵌着する際の拡大断面図である。この図からわかるように、フード３、４をスタッド１１に取り付けるには、シャーシ５の開口２６をスタッド１１の胴部３０の頂部にあてがってフード３、４に上面側から軽く力を掛け、シャーシ５の開口２６の縁が突状環状部２９を乗り越えるようにする、いわゆるスナップ止めを行う。スナップ止め後は、図７（Ｂ）に示す状態となり、突状環状部２９がそれより径が大きいシャーシ５の内部に入るため、シャーシ５とそれを装着したフード３、４はスタッド１１の軸線の周りで比較的自由に回転できる状態になる。なお、取り外しは、バンドアセンブリ２ごと患者の指３２等から引き剥がした後で行えばよいが、剥がす前でも後でも、シャーシ５の開口２６の縁が突状環状部２９を、上記とは逆に、スタッド１１から外れる方向へ突状環状部２９を乗り越えるようにフード３、４に若干力を掛けるだけでよい。
【００３３】
図８は、患者の指３２にバンドアセンブリ２を貼り付け、スタッド１１にシャーシ５を嵌着してフード３、４を取り付けた状態の拡大斜視図である。例えば指３２へ図７（Ａ）のように取り付けた後、患者が指３２を動かして向きを変えたとすると、ケーブルアセンブリ８は図示しないモニタ装置等との接続により向きがある程度規制されるため、あまり大きくは動けず、指３２との相対位置が変わる。従来の構造ではそのような事態が生じると、ケーブルアセンブリ８がフード３、４の位置保持に対する干渉となり、フード３、４が患者の身体から外れたりしてしまうが、本実施形態では上述のようにスタッド１１の軸線周りでフード３、４及びそれらに装着したフォトデテクタ１６やＬＥＤ２２が回転し、安定した計測を継続できる。なお図中３３は指の爪である。また、計測内容については従来公知の例と同様であるので、説明は省略する。
【００３４】
なお、以上説明してきた実施形態はパルス式酸素濃度センサについてのものであるが、本発明はその他の医療用センサと、このセンサを患者の身体に取り付けるためのキットとして用いることも可能なことは上記の説明から明らかである。また図示の実施形態ではフード３、４へのケーブル７、ケーブルアセンブリ８の取り付けは、フィックスと称する固定的取り付けであるが、例えばユニバーサルジョイント状の取り付け形態を採用することも可能であり、上記実施形態よりもさらにケーブルの動きによるフード３、４への干渉を低減させ得る。
【００３５】
【発明の効果】
本発明に係る医療用センサ、パルス式酸素濃度センサ、これらセンサを患者の身体に取り付けるためのキットは、それぞれ以上説明してきたようなものなので、患者が装着箇所の身体を動かす等しても、ケーブルの干渉を受けることなく装着状態を正確に維持でき、発光体や受光体が患者の皮膚から分離することによる光学的損失を生じさせることがなく、発光体やケーブルを患者の皮膚から離して装着できるため、ＬＥＤやケーブルの熱が皮膚に直接に伝わらなくなり、患者が火傷をする等の事故を防ぐことができるようになり、発光体等の光学的素子をモールド成形できるために防水化、防振化でき、しかも正確な血中酸素濃度のモニタリングを可能とし、さらにはさほどコストが高くはない粘着部品だけを使い捨てにすることができ、高コストである部分は何回でも使用可能になるので、一つのセンサとしてのコストがかりに高くなっても、全使用量を考慮した場合のトータルコストは十分に低下する。
【図面の簡単な説明】
【図１】本発明に係るパルス式酸素濃度センサの一実施形態を示す分解斜視図である。
【図２】検出体アセンブリの断面図である。
【図３】一方のフードの平面図（Ａ）と底面図（Ｂ）である。
【図４】他方のフードの平面図（Ａ）と底面図（Ｂ）である。
【図５】シャーシの斜視図である。
【図６】バンドアセンブリに取り付けた状態のスタッドの拡大断面図である。
【図７】スタッドにシャーシを嵌着する際の拡大断面図である。
【図８】患者の指にバンドアセンブリを貼り付け、スタッドにシャーシを嵌着してフードを取り付けた状態の拡大斜視図である。
【符号の説明】
１  検出体アセンブリ
２  バンドアセンブリ
３、４  フード
５  シャーシ
６  スプリングクリップ
６ａ  スプリングクリップの端部
７  ケーブル
８  ケーブルアセンブリ
９  粘着部
１０  連結テープ部
１１  スタッド
１２  離型シート
１３  受光体収納部
１４  クリップ端収納部
１５  接続部
１６  フォトデテクタ
１７  開口部
１８  発光体収納部
１９  クリップ端収納部
２０  挿通部
２１  接続部
２２  ＬＥＤ
２３  開口部
２４  頂部
２５  胴部
２６  開口
２７  フランジ部
２８  溝
２９  突状環状部
３０  胴部
３１  フランジ部
３２  患者の指
３３  患者の指の爪
【図１】
2004329406.tif 000003
【図２】
2004329406.tif 000004
【図３】
2004329406.tif 000005
【図４】
2004329406.tif 000006
【図５】
2004329406.tif 000007
【図６】
2004329406.tif 000008
【図７】
2004329406.tif 000009
【図８】
2004329406.tif 000010